【手続補正書】
【提出日】平成17年12月14日(2005.12.14)
【手続補正１】
【補正対象書類名】明細書
【補正対象項目名】特許請求の範囲
【補正方法】変更
【補正の内容】
【特許請求の範囲】
【請求項１】  搬送方向に移動する搬送部材の表面上に載置されて記録位置に搬送される被記録材に対して、インクを吐出可能な記録手段を用いて画像を記録するインクジェット記録装置において、
前記搬送部材の表面に接する清掃部材と洗浄液を用いて前記搬送部材の表面を清掃する清掃手段と、
前記清掃手段が前記搬送部材の表面を清掃しないときに前記清掃部材の乾燥を防止する乾燥防止手段と、
を備えたことを特徴とするインクジェット記録装置。
【請求項２】  前記洗浄液は、水を含む液体であることを特徴とする請求項１に記載のインクジェット記録装置。
【請求項３】  前記乾燥防止手段は、前記清掃部材を密閉可能なキャップを含むことを特徴とする請求項１または２に記載のインクジェット記録装置。
【請求項４】  清掃部材用洗浄液を用いて前記清掃部材を洗浄するための洗浄手段を備え、
前記洗浄手段は、前記キャップを前記清掃部材の下方に位置させて前記清掃部材用洗浄液を前記清掃部材に供給することにより前記清掃部材を洗浄し、かつ前記清掃部材の洗浄後の前記清掃部材用洗浄液は前記キャップ手段によって回収することを特徴とする請求項３に記載のインクジェット記録装置。
【請求項５】  清掃部材用洗浄液を用いて前記清掃部材を洗浄するための洗浄手段を備え、
前記洗浄手段は、前記キャップ内に前記清掃部材用洗浄液を供給して該清掃部材用洗浄液中に前記清掃部材を浸漬することにより、前記清掃部材を洗浄することを特徴とする請求項３に記載のインクジェット記録装置。
【請求項６】  前記清掃部材用洗浄液は、水を含む液体であることを特徴とする請求項４または５に記載のインクジェット記録装置。
【請求項７】  前記清掃部材用洗浄液は、前記搬送部材の表面を清掃するための洗浄液と同一であることを特徴とする請求項４から６のいずれかに記載のインクジェット記録装置。
【請求項８】  前記清掃部材は前記洗浄液を吸収可能な多孔質体からなり、
前記清掃手段は、前記清掃部材に前記洗浄液を供給する供給手段と、前記清掃部材に吸収されている前記洗浄液の量を減ずるために前記清掃部材から前記洗浄液を吸引する吸引手段と、を備える
ことを特徴とする請求項１から７のいずれかに記載のインクジェット記録装置。
【請求項９】  前記供給手段における前記洗浄液の供給経路と、前記吸引手段における前記洗浄液の吸引経路との少なくとも一部が共通であることを特徴とする請求項８に記載のインクジェット記録装置。
【請求項１０】  前記清掃部材は、少なくとも、前記搬送部材の表面を清掃する清掃位置と、前記キャップによりキャップされる位置との２位置に移動可能であることを特徴とする請求項３から９のいずれかに記載のインクジェット記録装置。
【請求項１１】  搬送方向に移動する搬送部材の表面上に載置されて記録位置に搬送される被記録材に対して、インクを吐出可能な記録手段を用いて画像を記録するインクジェット記録装置において、
前記搬送部材の表面に洗浄液を供給する供給手段と、
前記供給手段よりも前記搬送方向の下流側に位置して、前記搬送部材の表面上から前記洗浄液を払拭する払拭手段と、
前記供給手段が前記搬送部材の表面に前記洗浄液を供給しないときに前記供給手段の乾燥を防止する乾燥防止手段と、
を備えたことを特徴とするインクジェット記録装置。
【請求項１２】  前記供給手段は、前記洗浄液を吸収可能な吸収体を前記搬送部材の表面に接触させることにより、前記洗浄液を前記吸収体から前記搬送部材の表面に供給可能にし、
前記乾燥防止手段は、前記吸収体を密閉可能なキャップを含む
ことを特徴とする請求項１１に記載のインクジェット記録装置。
【請求項１３】  前記搬送部材は、前記被記録材を表面に吸着可能な搬送ベルトであることを特徴とする請求項１から１２のいずれかに記載のインクジェット記録装置。
【請求項１４】  前記記録手段のインクの吐出状態を良好に維持するために、画像の記録に寄与しないインクを前記記録手段から前記搬送部材の表面に吐出させる手段を備えたことを特徴とする請求項１から１３のいずれかに記載のインクジェット記録装置。
【請求項１５】  前記記録手段は、電気熱変換体が発生する電気エネルギーを利用してインクを吐出可能なインクジェット記録ヘッドを含むことを特徴とする請求項１から１４のいずれかに記載のインクジェット記録装置。
【請求項１６】  前記払拭手段は、前記搬送部材の表面に一辺が摺接する板状の弾性部材を含むことを特徴とする請求項１１から１５のいずれかに記載のインクジェット記録装置。
【請求項１７】  前記払拭手段は、前記搬送部材の表面に摺接するゴムブレードを含むことを特徴とする請求項１１から１６のいずれかに記載のインクジェット記録装置。
【請求項１８】  前記供給手段は、前記洗浄液を吸収可能な吸収体を前記搬送部材の表面に接触させることにより、前記吸収体から前記搬送部材の表面に前記洗浄液を供給することを特徴とする請求項１１から１７のいずれかに記載のインクジェット記録装置。
【請求項１９】  前記吸収体は板状であることを特徴とする請求項１８に記載のインクジェット記録装置。
【請求項２０】  前記吸収体は回転可能なローラ状であることを特徴とする請求項１８に記載のインクジェット記録装置。
【請求項２１】  前記吸収体は多孔質吸収体であることを特徴とする請求項１８から２０のいずれかに記載のインクジェット記録装置。
【請求項２２】  前記吸収体に前記洗浄液を補充するための補充手段を備えることを特徴とする請求項１８から２１のいずれかに記載のインクジェット記録装置。
【請求項２３】  前記吸収体に吸収されている前記洗浄液の量を減ずるために、前記吸収体から前記洗浄液を吸引する吸引手段を備えることを特徴とする請求項１８から２２のいずれかに記載のインクジェット記録装置。
【請求項２４】  前記供給手段は、前記洗浄液を吐出可能な洗浄液吐出用ヘッドを含むことを特徴とする請求項１１から２３のいずれかに記載のインクジェット記録装置。
【請求項２５】  前記記録手段は、インクを吐出可能なインクジェット記録ヘッドを含み、
前記洗浄液吐出用ヘッドは、前記インクジェット記録ヘッドと同一形態である
ことを特徴とする請求項２４に記載のインクジェット記録装置。
【請求項２６】  前記搬送部材の表面の単位面積当たりに対して、前記洗浄液吐出用ヘッドからの洗浄液の吐出量が前記インクジェット記録ヘッドからのインクの吐出量よりも大であることを特徴とする請求項２５に記載のインクジェット記録装置。
【請求項２７】  前記洗浄液吐出用ヘッドよりも前記搬送方向の下流側、かつ前記払拭手段よりも前記搬送方向の上流側の位置に、前記搬送部材の表面上に付着した異物を除去する異物除去手段を備えたことを特徴とする請求項２４から２６のいずれかに記載のインクジェット記録装置。
【請求項２８】  前記異物除去手段は、前記搬送部材の表面に接する多孔質吸収体を含むことを特徴とする請求項２７に記載のインクジェット記録装置。
【請求項２９】  前記洗浄液は、水を含む液体であることを特徴とする請求項１１から２８のいずれかに記載のインクジェット記録装置。
【手続補正２】
【補正対象書類名】明細書
【補正対象項目名】００２３
【補正方法】変更
【補正の内容】
【００２３】
【課題を解決するための手段】
本発明のインクジェット記録装置は、搬送方向に移動する搬送部材の表面上に載置されて記録位置に搬送される被記録材に対して、インクを吐出可能な記録手段を用いて画像を記録するインクジェット記録装置において、前記搬送部材の表面に接する清掃部材と洗浄液を用いて前記搬送部材の表面を清掃する清掃手段と、前記清掃手段が前記搬送部材の表面を清掃しないときに前記清掃部材の乾燥を防止する乾燥防止手段と、を備えたことを特徴とする。
本発明のインクジェット記録装置は、搬送方向に移動する搬送部材の表面上に載置されて記録位置に搬送される被記録材に対して、インクを吐出可能な記録手段を用いて画像を記録するインクジェット記録装置において、前記搬送部材の表面に洗浄液を供給する供給手段と、前記供給手段よりも前記搬送方向の下流側に位置して、前記搬送部材の表面上から前記洗浄液を払拭する払拭手段と、前記供給手段が前記搬送部材の表面に前記洗浄液を供給しないときに前記供給手段の乾燥を防止する乾燥防止手段と、を備えたことを特徴とする。